(57)【要約】【課題】集塵手段に付着した塵埃を除塵するとともに、吸引風の抵抗を低減することにより、吸い込み性能の低下を防止することを目的とする。【解決手段】吸引風を発する電動送風機５と、塵埃を捕集する集塵手段３と、前記集塵手段３に付着した塵埃を除塵する除塵手段３０とを備え、前記除塵手段３０は前記集塵手段３に動作を加える除塵部２８を有するとともに、前記除塵部２８は通気性を有するもので、電動送風機５で発生させられ集塵手段３を通過する吸引風は、そのまま通気性を有する除塵部２８を通過できるため、吸引風の抵抗を低減することにより、吸い込み性能の低下を防止できる。【選択図】  図１
2004174048.tif 000002
【特許請求の範囲】
【請求項１】
吸引風を発する電動送風機と、塵埃を捕集する集塵手段と、前記集塵手段に付着した塵埃を除塵する除塵手段とを備え、前記除塵手段は前記集塵手段に動作を加える除塵部を有するとともに、前記除塵部は通気性を有する電気掃除機。
【請求項２】
除塵部は開口部を有する請求項１記載の電気掃除機。
【請求項３】
除塵部の集塵手段に対向する側の面の少なくとも一部が凸状となるように形成した請求項１または２記載の電気掃除機。
【請求項４】
吸引風を発する電動送風機と、塵埃を捕集する集塵手段と、前記集塵手段に付着した塵埃を除塵する除塵手段とを備え、前記除塵手段が前記集塵手段に動作を加えているときに発生する発生音は、そのときの前記電動送風機が発する音よりも大きい電気掃除機。
【発明の詳細な説明】
【０００１】
【発明の属する技術分野】
本発明は、集塵手段に塵埃が蓄積しても吸引力の低下を防止できる電気掃除機に関するものである。
【０００２】
【従来の技術】
従来の電気掃除機を、図５を用いて説明する。
【０００３】
９は吸引風を発する電動送風機で、１２は塵埃を捕集する集塵袋である。前記電動送風機９と前記集塵袋１２を配設した室を区画し、掃除機本体１に設けられた隔壁７に設けた連通口６に対向する集塵袋１２の面ａに付着する塵埃を除塵する除塵手段１３を配設している。前記除塵手段１３は、制御手段１７にて振動させられる振動板１５により前記面ａを叩く構成としている。その結果、電動送風機９が発する吸引風が、前記電動送風機９へと吸引される吸引流路となる集塵袋１２の面ａに、付着した塵埃を除塵することで、吸い込み力の低下を防止することができるものである。
【０００４】
【特許文献１】
特開平５−９１９６２号公報
【０００５】
【発明が解決しようとする課題】
しかしながら、上記従来の構成では、電動送風機９との連通口６に面する集塵袋１２の面ａに通風性を有しない除塵手段１３を設けているため、電動送風機９の吸引風の抵抗が拡大し、電気掃除機における基本的な吸い込み性能が劣化するという問題点があった。
【０００６】
また、使用者にはスイッチ手段により除塵手段が作動してもその作動状態を確認する手段がないため、除塵手段が本当に正しく作動しているかが判らず、使用者に不安感を抱かせるものであった。
【０００７】
本発明は上記課題を解決するもので、集塵手段に付着した塵埃を除塵するとともに、吸引風の抵抗を低減することにより、吸い込み性能の低下を防止することを目的とする。さらに、使用者に、除塵手段の動作を認識させることで、使用性を向上させることも目的とする。
【０００８】
【課題を解決するための手段】
上記目的を達成するために本発明は、吸引風を発する電動送風機と、塵埃を捕集する集塵手段と、前記集塵手段に付着した塵埃を除塵する除塵手段とを備え、前記除塵手段は前記集塵手段に動作を加える除塵部を有するとともに、前記除塵部は通気性を有するもので、電動送風機で発生させられ集塵手段を通過する吸引風は、そのまま通気性を有する除塵部を通過できるため、前記吸引風を迂回させる必要もなく、低コストかつ製品の小型化を実現しつつ、集塵手段に付着した塵埃を除塵するとともに、吸引風の抵抗を低減することにより、吸い込み性能の低下を防止できる。
【０００９】
【発明の実施の形態】
本発明の請求項１記載の発明は、吸引風を発する電動送風機と、塵埃を捕集する集塵手段と、前記集塵手段に付着した塵埃を除塵する除塵手段とを備え、前記除塵手段は前記集塵手段に動作を加える除塵部を有するとともに、前記除塵部は通気性を有するもので、電動送風機で発生させられ集塵手段を通過する吸引風は、そのまま通気性を有する除塵部を通過できるため、前記吸引風を迂回させる必要もなく、低コストかつ製品の小型化を実現しつつ、集塵手段に付着した塵埃を除塵するとともに、吸引風の抵抗を低減することにより、吸い込み性能の低下を防止できる。
【００１０】
本発明の請求項２記載の発明は、除塵部は開口部を有するもので、電動送風機で発生させられ集塵手段を通過する吸引風は、そのまま開口部を有する除塵部を通過できるため、前記吸引風を迂回させる必要もなく、低コストかつ製品の小型化および軽量化を実現しつつ、集塵手段に付着した塵埃を除塵するとともに、吸引風の抵抗を低減することにより、吸い込み性能の低下を防止できる。
【００１１】
本発明の請求項３記載の発明は、除塵部の集塵手段に対向する側の面の少なくとも一部が凸状となるように形成したもので、吸引風により集塵手段が膨らんだとき、凸状に形成されている除塵部の面にへばり付くことで、前記集塵手段と接触する前記除塵部の面積を拡大することで、小スペースで除塵効果の向上を達成できる。
【００１２】
本発明の請求項４記載の発明は、吸引風を発する電動送風機と、塵埃を捕集する集塵手段と、前記集塵手段に付着した塵埃を除塵する除塵手段とを備え、前記除塵手段が前記集塵手段に動作を加えているときに発生する発生音は、そのときの前記電動送風機が発する音よりも大きいもので、使用者に、除塵手段の動作を認識させることで、使用性が向上できる。
【００１３】
【実施例】
以下、本発明の一実施例を図１〜図４を用いて説明する。
【００１４】
図１に示すように、掃除機本体１は、外郭を形成する上方開口した下カバー２の前方に、塵埃を捕集する集塵手段３を収納する集塵室４と、後方に吸引風を発生する電動送風機５を収納する電動送風機室６を設け、前記電動送風機室６の上方を上カバー７により覆い、また前記集塵室４の上方には、前記上カバー７に軸支して開閉自在に回動する蓋体８を設け構成されている。
【００１５】
前記集塵手段３は、硬質材で形成した固定部９と、軟質材で通風性を有し袋状に形成した集塵袋なる集塵部１０により構成され、前記集塵室４の前方には逆止弁１１を保持した前壁１２が形成され、その集塵室４側下方には断面が略Ｌ字状の保持リブ１３をコの字状に設けている。また、その上方にはバネ１４に付勢し軸支して回動する固定部押さえ１５が配設されており、これらは前記集塵手段３を前記集塵室４内に収納かつ固定するための保持手段としての機能を有している。
【００１６】
前記集塵手段３の固定部９下端を前記保持リブ１３に挿入し、その後固定部９の上端枠へ固定部押さえ１５を回動し爪部１６の引っ掛けにより保持を達成し、収納を行うものとしている。またその際前記固定部９は、逆支弁１１と密着した状態で保持されるものとなり、塵埃を補集する集塵手段３と集塵室４とのタイトが確立し、ゴミもれ対策が行えるものとなっている。
【００１７】
次に前記電動送風機６は、クッション前２１及びクッション後２２を介して下カバー２と上カバー７とで狭持している。また集塵室４を仕切る仕切壁２３を下カバー２及び蓋体８に相対するように設けており、この仕切壁２３同士の間にパッキン２４を介して空気のタイトを行い気密性を確保している。集塵室４と電動送風機室６とは仕切壁２３によって仕切られており、仕切壁２３に設けた連通口２６を経て集塵室４と空気が連通するようにしている。
【００１８】
また、この連通口２６には格子状にリブ２７が形成されている。前記連通口２６の吸気上流側の集塵室４内には、下カバー２より立設し収納された集塵手段３の集塵部１０外面に臨んで、振動動作を与え、除塵部である振動板２８を備えた除塵手段３０が設けられている。
【００１９】
前記除塵手段３０の構成及び動作の詳細を説明する。図２に示すように、振動装置３１は集塵室４下方の下カバー２下部内に格納され蓋カバー２９で固定されており、振動装置３１の本体ケース３２からは、可動板３３より立設した中空円柱状のアーム３４が集塵室４内へ突出しており、このアーム３４に格子形状をなす振動板２８の下部にある突起３６が挿入嵌合されている。
【００２０】
また、図３、図４に示すように、アーム３４はリング状のゴム製ブッシング３７を介して本体ケース３２に固定されている。本体ケース３２内には、電磁石３８と電磁石３９の吸引作用面と対向して平行に配置された磁石４０を先端部に固着した可動板３３が内蔵されており、可動板３３の磁石４０と反対側の一端はゴム製のスリーブ４１を介してネジ４２により、可動板３３が回動自在となるように本体ケース３２に固定されている。振動制御回路によりスイッチがＯＮされ電磁石３８にＡＣ１００Ｖ電源が通電されると、電磁石３９に生じた磁界により先端部に磁石４０を固着した可動板３３はネジ４２で固定した一端を支点として、アーム３４がゴム製ブッシング３７を前後に撓ませながら矢印５３、５４方向へＡＣ１００Ｖ電源の電源周波数（５０Ｈｚまたは６０Ｈｚ）に応じた周期で振動する。その振動はアーム３４を介して振動板２８に伝えられ、振動板２８も同様に矢印５１、５２方向へ振動し、集塵手段３の集塵部１０の外面を振動させ除塵を行なうものである。
【００２１】
図５において、除塵部である振動板２８は、仕切壁２３の連通口２６に対向し、集塵部１０の外面に臨んだ位置に配設されているため、集塵部１０を通過して連通口２６から吸引される吸引風を遮らないように開口部５５を複数有する格子形状となっている。
【００２２】
上記構成によって、前記集塵部１０に付着した塵埃を除塵する除塵手段３０を有した構成とすることにより、前記集塵手段３の集塵部１０に付着し堆積した塵埃をはたき落とすことが可能となる。その結果、吸引風の低下を減少させ吸引効率を良化させることができるものとなる。
【００２３】
また、除塵部である振動板２８は、仕切壁２３の連通口２６に対向し、集塵部１０の外面に臨んだ位置に配設されているため、集塵部１０を通過して連通口２６から吸引される吸引風を遮らないように開口部５５を複数有する格子形状となっており、その結果、電動送風機５で発生させられ集塵部１０を通過する吸引風は、そのまま開口部５５を通過できるため、前記吸引風を迂回させる必要もなく、低コストかつ製品の小型化および軽量化を実現しつつ、集塵部１０に付着した塵埃を除塵するとともに、吸引風の抵抗を低減することにより、吸い込み性能の低下を防止できる。
【００２４】
また、除塵手段３０を集塵室４内部に設けたことにより、除塵手段３０の構成として複数の部品による動作の連動が不用となり、且つ直接集塵手段３への除塵動作を与えることが可能となるため、構成の簡素化、部品数の削減並びに関係部品の低減による規制緩和で前記除塵手段の構成の多様化が実現できるものとなる。
【００２５】
また、集塵室４内部に設けた集塵手段３の集塵部１０に除塵手段３０が動作を加えるものとしたことで、主として塵埃が付着し堆積した部分を直接動作させることになるので効率的な効果が得られるものとなる。
【００２６】
また、集塵室４内部の連通口２６近傍に振動板２８を配設し、集塵部１０に除塵手段３０が動作を加える構成としたことで、最も吸引風が通過し塵埃の付着が多く、主として塵埃が付着し堆積した部分を直接動作させることになるので効率的な効果が得られるものとなる。
【００２７】
また、集塵室４の内部に設けた集塵手段３の集塵部１０を軟質材で形成したことにより、除塵手段３０による動作が軟質材で形成した集塵部１０のみの動きで緩和され、硬質材で形成した固定部９までは前記動作が伝わらないものとなる。その結果、逆支弁１１と固定部９の密着した状態が常に維持できる、つまり、前記逆支弁１１と前記固定部９のタイト性の維持が常に実現でき、そこからのゴミ漏れ等の課題が解消される。
【００２８】
また、集塵部１０の外面に、除塵部である振動板２８が振動動作を加える際に発生する動作音（主に仕切壁２３に設けたパッキン２４に振動板２８が振動し接触したときに生じる音）が、そのときの前記電動送風機５が発する音よりも大きいことで、使用者に、除塵手段３０の動作を認識させることができ、使用性が向上できる。なお、本実施例においては、電動送風機５が運転後、停止しているときに、振動板２８が振動動作し、集塵部１０の内部に付着した塵埃を除塵しているが、電動送風機５が運転していても、要は使用者が前記振動板２８が振動動作を加える際に発生する動作音を認識できればよい。但し、電動送風機５が運転後、停止しているときに、振動板２８が振動動作し、集塵部１０の内部に付着した塵埃を除塵することで、集塵部１０の内部には吸引風による風圧が作用していないし、付着している塵埃の量も多いため、最も効果大である。
【００２９】
また、図６〜図７においては、他の振動板６１の形状を示したもので、通風性を目的として開口部６２を複数形成している。また、前記振動板６１は、集塵部１０に対向する側に、外面が凸方向となるよう、断面形状において半円形状としている。
【００３０】
上記構成によって、吸引風により集塵部１０が膨らんだとき、凸状に形成されている振動板６１の面にへばり付くことで、前記集塵部１０と接触する前記振動板６１の面積が拡大し、その結果、小スペースで除塵効果の向上を達成できる。
【００３１】
【発明の効果】
以上のように本発明によれば、集塵手段に付着した塵埃を除塵するとともに、吸引風の抵抗を低減することにより、吸い込み性能の低下を防止できる。
【図面の簡単な説明】
【図１】本発明の一実施例を示す掃除機本体の側断面図
【図２】同蓋体を外した状態の本体の斜視図
【図３】同下カバーおよび除塵手段の部品構成を示した斜視図
【図４】同除塵手段の振動装置の拡大図
【図５】同振動板の正面図
【図６】同他の振動板の斜視図
【図７】（ａ）同他の振動板の正面図
（ｂ）図７（ａ）のＡ−Ａ断面図
【図８】従来の掃除機本体の一部構成図
【符号の説明】
１  掃除機本体
３  集塵手段
４  集塵室
５  電動送風機
１０  集塵部
２８  振動板（除塵部）
３０  除塵手段
【図１】
2004174048.tif 000003
【図２】
2004174048.tif 000004
【図３】
2004174048.tif 000005
【図４】
2004174048.tif 000006
【図５】
2004174048.tif 000007
【図６】
2004174048.tif 000008
【図７】
2004174048.tif 000009
【図８】
2004174048.tif 000010
【手続補正書】
【提出日】平成15年12月19日(2003.12.19)
【手続補正１】
【補正対象書類名】明細書
【補正対象項目名】全文
【補正方法】変更
【補正の内容】
【特許請求の範囲】
【請求項１】吸引風を発する電動送風機と、塵埃を捕集する集塵手段と、前記集塵手段に付着した塵埃を除塵する除塵手段とを備え、前記除塵手段は前記集塵手段に動作を加える除塵部を有するとともに、前記除塵部は通気性を有し、電磁石により生じた磁界により振動するアームに挿入されてなる電気掃除機。
【請求項２】除塵部は開口部を有する請求項１記載の電気掃除機。
【請求項３】除塵部の集塵手段に対向する側の面の少なくとも一部が凸状となるように形成した請求項１または２記載の電気掃除機。
【発明の詳細な説明】
【０００１】
【発明の属する技術分野】
本発明は、集塵手段に塵埃が蓄積しても吸引力の低下を防止できる電気掃除機に関するものである。
【０００２】
【従来の技術】
従来の電気掃除機を、図５を用いて説明する。
【０００３】
９は吸引風を発する電動送風機で、１２は塵埃を捕集する集塵袋である。前記電動送風機９と前記集塵袋１２を配設した室を区画し、掃除機本体１に設けられた隔壁７に設けた連通口６に対向する集塵袋１２の面ａに付着する塵埃を除塵する除塵手段１３を配設している。前記除塵手段１３は、制御手段１７にて振動させられる振動板１５により前記面ａを叩く構成としている。その結果、電動送風機９が発する吸引風が、前記電動送風機９へと吸引される吸引流路となる集塵袋１２の面ａに、付着した塵埃を除塵することで、吸い込み力の低下を防止することができるものである。
【０００４】
【特許文献１】
特開平５−９１９６２号公報
【０００５】
【発明が解決しようとする課題】
しかしながら、上記従来の構成では、電動送風機９との連通口６に面する集塵袋１２の面ａに通風性を有しない除塵手段１３を設けているため、電動送風機９の吸引風の抵抗が拡大し、電気掃除機における基本的な吸い込み性能が劣化するという問題点があった。
【０００６】
また、使用者にはスイッチ手段により除塵手段が作動してもその作動状態を確認する手段がないため、除塵手段が本当に正しく作動しているかが判らず、使用者に不安感を抱かせるものであった。
【０００７】
本発明は上記課題を解決するもので、集塵手段に付着した塵埃を除塵するとともに、吸引風の抵抗を低減することにより、吸い込み性能の低下を防止することを目的とする。
【０００８】
【課題を解決するための手段】
上記目的を達成するために本発明は、吸引風を発する電動送風機と、塵埃を捕集する集塵手段と、前記集塵手段に付着した塵埃を除塵する除塵手段とを備え、前記除塵手段は前記集塵手段に動作を加える除塵部を有するとともに、前記除塵部は通気性を有し、電磁石により生じた磁界により振動するアームに挿入されてなるもので、電動送風機で発生させられ集塵手段を通過する吸引風は、そのまま通気性を有する除塵部を通過できるため、前記吸引風を迂回させる必要もなく、低コストかつ製品の小型化を実現しつつ、集塵手段に付着した塵埃を除塵するとともに、吸引風の抵抗を低減することにより、吸い込み性能の低下を防止できる。
【０００９】
【発明の実施の形態】
本発明の請求項１記載の発明は、吸引風を発する電動送風機と、塵埃を捕集する集塵手段と、前記集塵手段に付着した塵埃を除塵する除塵手段とを備え、前記除塵手段は前記集塵手段に動作を加える除塵部を有するとともに、前記除塵部は通気性を有し、電磁石により生じた磁界により振動するアームに挿入されてなるもので、電動送風機で発生させられ集塵手段を通過する吸引風は、そのまま通気性を有する除塵部を通過できるため、前記吸引風を迂回させる必要もなく、低コストかつ製品の小型化を実現しつつ、集塵手段に付着した塵埃を除塵するとともに、吸引風の抵抗を低減することにより、吸い込み性能の低下を防止できる。
【００１０】
本発明の請求項２記載の発明は、除塵部は開口部を有するもので、電動送風機で発生させられ集塵手段を通過する吸引風は、そのまま開口部を有する除塵部を通過できるため、前記吸引風を迂回させる必要もなく、低コストかつ製品の小型化および軽量化を実現しつつ、集塵手段に付着した塵埃を除塵するとともに、吸引風の抵抗を低減することにより、吸い込み性能の低下を防止できる。
【００１１】
本発明の請求項３記載の発明は、除塵部の集塵手段に対向する側の面の少なくとも一部が凸状となるように形成したものである。
【００１２】
これにより、吸引風により集塵手段が膨らんだとき、凸状に形成されている除塵部の面にへばり付くことで、前記集塵手段と接触する前記除塵部の面積を拡大することで、小スペースで除塵効果の向上を達成できる。
【００１３】
【実施例】
以下、本発明の一実施例を図１〜図４を用いて説明する。
【００１４】
図１に示すように、掃除機本体１は、外郭を形成する上方開口した下カバー２の前方に、塵埃を捕集する集塵手段３を収納する集塵室４と、後方に吸引風を発生する電動送風機５を収納する電動送風機室６を設け、前記電動送風機室６の上方を上カバー７により覆い、また前記集塵室４の上方には、前記上カバー７に軸支して開閉自在に回動する蓋体８を設け構成されている。
【００１５】
前記集塵手段３は、硬質材で形成した固定部９と、軟質材で通風性を有し袋状に形成した集塵袋なる集塵部１０により構成され、前記集塵室４の前方には逆止弁１１を保持した前壁１２が形成され、その集塵室４側下方には断面が略Ｌ字状の保持リブ１３をコの字状に設けている。また、その上方にはバネ１４に付勢し軸支して回動する固定部押さえ１５が配設されており、これらは前記集塵手段３を前記集塵室４内に収納かつ固定するための保持手段としての機能を有している。
【００１６】
前記集塵手段３の固定部９下端を前記保持リブ１３に挿入し、その後固定部９の上端枠へ固定部押さえ１５を回動し爪部１６の引っ掛けにより保持を達成し、収納を行うものとしている。またその際前記固定部９は、逆支弁１１と密着した状態で保持されるものとなり、塵埃を補集する集塵手段３と集塵室４とのタイトが確立し、ゴミもれ対策が行えるものとなっている。
【００１７】
次に前記電動送風機６は、クッション前２１及びクッション後２２を介して下カバー２と上カバー７とで狭持している。また集塵室４を仕切る仕切壁２３を下カバー２及び蓋体８に相対するように設けており、この仕切壁２３同士の間にパッキン２４を介して空気のタイトを行い気密性を確保している。集塵室４と電動送風機室６とは仕切壁２３によって仕切られており、仕切壁２３に設けた連通口２６を経て集塵室４と空気が連通するようにしている。
【００１８】
また、この連通口２６には格子状にリブ２７が形成されている。前記連通口２６の吸気上流側の集塵室４内には、下カバー２より立設し収納された集塵手段３の集塵部１０外面に臨んで、振動動作を与え、除塵部である振動板２８を備えた除塵手段３０が設けられている。
【００１９】
前記除塵手段３０の構成及び動作の詳細を説明する。図２に示すように、振動装置３１は集塵室４下方の下カバー２下部内に格納され蓋カバー２９で固定されており、振動装置３１の本体ケース３２からは、可動板３３より立設した中空円柱状のアーム３４が集塵室４内へ突出しており、このアーム３４に格子形状をなす振動板２８の下部にある突起３６が挿入嵌合されている。
【００２０】
また、図３、図４に示すように、アーム３４はリング状のゴム製ブッシング３７を介して本体ケース３２に固定されている。本体ケース３２内には、電磁石３８と電磁石３９の吸引作用面と対向して平行に配置された磁石４０を先端部に固着した可動板３３が内蔵されており、可動板３３の磁石４０と反対側の一端はゴム製のスリーブ４１を介してネジ４２により、可動板３３が回動自在となるように本体ケース３２に固定されている。振動制御回路によりスイッチがＯＮされ電磁石３８にＡＣ１００Ｖ電源が通電されると、電磁石３９に生じた磁界により先端部に磁石４０を固着した可動板３３はネジ４２で固定した一端を支点として、アーム３４がゴム製ブッシング３７を前後に撓ませながら矢印５３、５４方向へＡＣ１００Ｖ電源の電源周波数（５０Ｈｚまたは６０Ｈｚ）に応じた周期で振動する。その振動はアーム３４を介して振動板２８に伝えられ、振動板２８も同様に矢印５１、５２方向へ振動し、集塵手段３の集塵部１０の外面を振動させ除塵を行なうものである。
【００２１】
図５において、除塵部である振動板２８は、仕切壁２３の連通口２６に対向し、集塵部１０の外面に臨んだ位置に配設されているため、集塵部１０を通過して連通口２６から吸引される吸引風を遮らないように開口部５５を複数有する格子形状となっている。
【００２２】
上記構成によって、前記集塵部１０に付着した塵埃を除塵する除塵手段３０を有した構成とすることにより、前記集塵手段３の集塵部１０に付着し堆積した塵埃をはたき落とすことが可能となる。その結果、吸引風の低下を減少させ吸引効率を良化させることができるものとなる。
【００２３】
また、除塵部である振動板２８は、仕切壁２３の連通口２６に対向し、集塵部１０の外面に臨んだ位置に配設されているため、集塵部１０を通過して連通口２６から吸引される吸引風を遮らないように開口部５５を複数有する格子形状となっており、その結果、電動送風機５で発生させられ集塵部１０を通過する吸引風は、そのまま開口部５５を通過できるため、前記吸引風を迂回させる必要もなく、低コストかつ製品の小型化および軽量化を実現しつつ、集塵部１０に付着した塵埃を除塵するとともに、吸引風の抵抗を低減することにより、吸い込み性能の低下を防止できる。
【００２４】
また、除塵手段３０を集塵室４内部に設けたことにより、除塵手段３０の構成として複数の部品による動作の連動が不用となり、且つ直接集塵手段３への除塵動作を与えることが可能となるため、構成の簡素化、部品数の削減並びに関係部品の低減による規制緩和で前記除塵手段の構成の多様化が実現できるものとなる。
【００２５】
また、集塵室４内部に設けた集塵手段３の集塵部１０に除塵手段３０が動作を加えるものとしたことで、主として塵埃が付着し堆積した部分を直接動作させることになるので効率的な効果が得られるものとなる。
【００２６】
また、集塵室４内部の連通口２６近傍に振動板２８を配設し、集塵部１０に除塵手段３０が動作を加える構成としたことで、最も吸引風が通過し塵埃の付着が多く、主として塵埃が付着し堆積した部分を直接動作させることになるので効率的な効果が得られるものとなる。
【００２７】
また、集塵室４の内部に設けた集塵手段３の集塵部１０を軟質材で形成したことにより、除塵手段３０による動作が軟質材で形成した集塵部１０のみの動きで緩和され、硬質材で形成した固定部９までは前記動作が伝わらないものとなる。その結果、逆支弁１１と固定部９の密着した状態が常に維持できる、つまり、前記逆支弁１１と前記固定部９のタイト性の維持が常に実現でき、そこからのゴミ漏れ等の課題が解消される。
【００２８】
また、集塵部１０の外面に、除塵部である振動板２８が振動動作を加える際に発生する動作音（主に仕切壁２３に設けたパッキン２４に振動板２８が振動し接触したときに生じる音）が、そのときの前記電動送風機５が発する音よりも大きいことで、使用者に、除塵手段３０の動作を認識させることができ、使用性が向上できる。なお、本実施例においては、電動送風機５が運転後、停止しているときに、振動板２８が振動動作し、集塵部１０の内部に付着した塵埃を除塵しているが、電動送風機５が運転していても、要は使用者が前記振動板２８が振動動作を加える際に発生する動作音を認識できればよい。但し、電動送風機５が運転後、停止しているときに、振動板２８が振動動作し、集塵部１０の内部に付着した塵埃を除塵することで、集塵部１０の内部には吸引風による風圧が作用していないし、付着している塵埃の量も多いため、最も効果大である。
【００２９】
また、図６〜図７においては、他の振動板６１の形状を示したもので、通風性を目的として開口部６２を複数形成している。また、前記振動板６１は、集塵部１０に対向する側に、外面が凸方向となるよう、断面形状において半円形状としている。
【００３０】
上記構成によって、吸引風により集塵部１０が膨らんだとき、凸状に形成されている振動板６１の面にへばり付くことで、前記集塵部１０と接触する前記振動板６１の面積が拡大し、その結果、小スペースで除塵効果の向上を達成できる。
【００３１】
【発明の効果】
以上のように本発明によれば、集塵手段に付着した塵埃を除塵するとともに、吸引風の抵抗を低減することにより、吸い込み性能の低下を防止できる。
【図面の簡単な説明】
【図１】本発明の一実施例を示す掃除機本体の側断面図
【図２】同蓋体を外した状態の本体の斜視図
【図３】同下カバーおよび除塵手段の部品構成を示した斜視図
【図４】同除塵手段の振動装置の拡大図
【図５】同振動板の正面図
【図６】同他の振動板の斜視図
【図７】（ａ）同他の振動板の正面図
（ｂ）図７（ａ）のＡ−Ａ断面図
【図８】従来の掃除機本体の一部構成図
【符号の説明】
１  掃除機本体
３  集塵手段
４  集塵室
５  電動送風機
１０  集塵部
２８  振動板（除塵部）
３０  除塵手段